(57)【特許請求の範囲】
【請求項１】
釣竿を構成する竿体を収納可能な竿体ケースであって、
前記竿体を載置可能な載置部を有するケース本体と、
前記載置部に網目状部材で形成され前記竿体を保持可能な保持手段とを備え、
前記保持手段は、前記載置部の一端に形成され前記竿体の一端を挿入可能な挿入部と、
前記載置部の他端に形成され前記竿体を挿通可能かつ係止可能な係止部で構成される
ことを特徴とする竿体ケース。
【請求項２】
前記挿入部と前記係止部との間に設けられ前記竿体を前記載置部に定着可能な定着部をさらに備えた、請求項１に記載の竿体ケース。
【請求項３】
前記載置部は前記ケース本体の内面上に形成されており、前記ケース本体は、前記載置部を内包するように幅方向に二つ折り可能であり、前記ケース本体を二つ折りした状態において前記ケース本体の縁部を開閉自在に接合可能な接合手段をさらに備えた、請求項１又は請求項２のいずれかに記載の竿体ケース。
【請求項４】
幅方向中心が前記ケース本体に固定されて幅方向に二つ折り可能であり、前記竿体を載置可能な第２載置部をさらに有している、請求項３に記載の竿体ケース。
【請求項５】
前記第２載置部の幅方向両端を前記ケース本体に固定可能な固定手段をさらに備えた、請求項４に記載の竿体ケース。
【発明の詳細な説明】
【０００１】
【発明の属する技術分野】
本発明は、運搬時に竿体を収納する竿体ケースに関する。
【０００２】
【従来の技術】
従来の竿体ケースは、竿体を収納可能な本体部と、本体部のほぼ中央部に配置された把持部と、本体部の前後２カ所で固定される肩掛け部とを有している。本体部はその内部に竿体を収納可能に形成されており、また、肩掛け部はユーザが竿体ケースを肩に掛けて保持できるように帯状に形成されている。この従来の竿体ケースでは、例えば、複数の竿体を並継形式に連結して用いる並継竿を収納する場合は、釣竿を各竿体に分割して各竿体を本体部に収納して持ち運ぶ。
【０００３】
このような従来の竿体ケースで、複数の竿体をまとめて１つの本体部に収納すると、竿体同士が接触して互いに傷つけあう恐れがある。特に、釣糸を挿通するラインガイドを有する竿体を収納する場合は、１の竿体のラインガイドが他の竿体を傷つけ、また、ラインガイド自体も損傷する恐れがある。
このような問題点を鑑み、従来の別の竿体ケースは、複数の袋型の収納部を有する本体部を備えている。この従来の別の竿体ケースでは、各竿体毎に袋型の収納部に収納し、竿体同士が互いに傷つけあうのを防止している。
【０００４】
【発明が解決しようとする課題】
しかし、袋型の収納部に竿体を収納すると袋型の収納部内に竿体に付着していたゴミがたまってしまい、このゴミの除去が難しい。また、水が付着する場合が多い竿体を袋型の閉鎖された収納部内に収納すると、収納部内の竿体が蒸れて不快な臭いがする場合もある。
【０００５】
本発明の課題は、複数の竿体を互いに損傷しあうことなく収納可能であり、かつ、ゴミだまりや竿体の蒸れを防止可能な竿体ケースを提供することにある。
【０００６】
【課題を解決するための手段】
本発明１にかかる竿体ケースは、竿体を収納可能な竿体ケースであって、前記竿体を載置可能な載置部を有するケース本体と、前記載置部に網目状部材で形成され前記竿体を保持可能な保持手段とを備え、前記保持手段は、前記載置部の一端に形成され前記竿体の一端を挿入可能な挿入部と、前記載置部の他端に形成され前記竿体を挿通可能かつ係止可能な係止部で構成されることを特徴とする。
【０００７】
この場合には、ケース本体の載置部に載置した竿体を保持手段が保持して、運搬時に載置部上で竿体が動かないようになっている。この結果、複数の竿体を載置部上に載置して収納しても、それぞれの竿体を保持手段が保持するので、竿体同士が互いに接触して傷付けあうのを防止できる。また、保持手段は網目状部材であり通気性に富むので、水が付着した竿体を保持しても保持した部分の蒸れを十分に防止できる。
【０００８】
また、この場合には、竿体を載置部に載置する際、載置部の他端側に形成された係止部に竿体を挿通させつつ、載置部の一端側に形成された挿入部に竿体の一端を挿入して、載置部に竿体を載置する。このようにして載置部に載置された竿体は、竿体の両端部がそれぞれ挿入部及び係止部によって保持され、両端部以外は載置部上で広く解放されている。この結果、竿体に付着したゴミが容易に除去可能であり、また、竿体の蒸れも防止できる。さらに、挿入部及び係止部は網目状部材であるので、竿体の両端部の蒸れも有効に防止できる。
【０００９】
本発明２にかかる竿体ケースは、本発明１のケースであって、挿入部と係止部との間に設けられ竿体を載置部に定着可能な定着部をさらに備えている。この場合には、定着部が載置部上で広く解放されている竿体の両端部以外の部分を載置部に定着させる。この結果、載置部上の竿体がさらに安定し、竿体同士の接触をさらに有効に防止できる。
【００１０】
本発明３にかかる竿体ケースは、発明１又は２のいずれかのケースであって、載置部はケース本体の内面上に形成されており、ケース本体は、載置部を内包するように幅方向に二つ折り可能であり、ケース本体を二つ折りした状態においてケース本体の縁部を開閉自在に接合可能な接合手段をさらに備えている。この場合には、ケース本体を二つ折りにして竿体が載置されている載置部を内包した状態でケース本体の縁部を接合して運搬するので、取り扱いが容易になるとともに竿体を十分に保護できる。
【００１１】
本発明４にかかる竿体ケースは、本発明３のケースであって、幅方向中心がケース本体に固定されて幅方向に二つ折り可能であり竿体を載置可能な第２載置部をさらに有している。この場合には、載置部に竿体を載置して収納するとともに、第２載置部にも竿体を載置して収納可能である。
【００１２】
本発明５にかかる竿体ケースは、本発明４のケースであって、第２載置部の幅方向両端をケース本体に固定可能な固定手段をさらに備えている。この場合には、固定手段によって第２載置部の幅方向両端を固定すると、第２載置部が安定して第２載置部に収納した竿体同士の接触等を防止できる。
【００１３】
【発明の実施の形態】
［第１実施形態］
以下、本発明の第１実施形態について、図面を参照しつつ説明する。
図１示すように、本発明の第１実施形態を採用した竿体ケースは、筒状のケース本体１と、ケース本体１に設けられた一対のフック２と、フック２に取り外し可能に連結されたショルダーベルト３とを有している。
【００１４】
ケース本体１は、図２〜図４に示すように、二つ折り可能な長方形部材であって、外面側のナイロン樹脂層５と内面側のポリウレタン樹脂層４との２層構造である。そして、外面側のナイロン樹脂５の表面には商品イメージに合わせて様々な模様が塗装されている。また、ケース本体１は、内面上に形成され竿体を載置可能な載置部１０と、載置部１０の一端側付近に形成された挿入部１１と、載置部１０の他端側付近に形成された係止部１２と、挿入部１１と係止部１２との間の載置部１０上に設けられた面ファスナ（定着部）１３とを有している。このケース本体１の内面側の縁部は垂直方向にやや突出して形成されており、この突出した端部にはファスナ（接合手段）２０が配置されている。そして、このケース本体１を二つ折りして、ファスナー２０を順次固定すると、図１に示すように、ケース本体１は内部の載置部１０に竿体を収納可能な中空の部材となる。
【００１５】
図２に示すように、挿入部１１は、ポリ塩化ビニル加工を施したナイロン製網目状部材である。載置部１０の中心側（図２の左側）が開口しそれ以外の部分が閉口した袋状になっている。また、挿入部１１はケース本体１の幅方向に分割されており、それぞれ挿入部１１ａ〜１１ｄとなっている。そして、分割された各挿入部１１ａ〜１１ｄにそれぞれ個別の竿体の端部が挿入可能になっている。なお、挿入部１１の開口縁部には補強部材（図示せず）が縫合されている。
【００１６】
係止部１２も、挿入部１１と同様にポリ塩化ビニル加工を施したナイロン製網目状部材である。この係止部１２の軸方向両側は開口している。また、係止部１２も挿入部１１に対応してケース本体１の幅方向に分割されており、それぞれ係止部１２ａ〜１２ｄとなっている。なお、係止部１２の両開口縁部にも補強部材（図示せず）が縫合されている。
【００１７】
面ファスナ１３は、載置部１０上の所定の位置に幅方向に伸びて配置され固定されている被係合部１４と、ケース本体１の折り返し中心上で載置部１０に連結され被係合部１４と係合可能な係合部１５とを有している。後に詳しく説明するように、この面ファスナ１３は載置部１０に載置された竿体を被係合部１４と係合部１５との間に挟み込んで定着させるものである。
【００１８】
このように構成された竿体ケースでは、図５に示すように、ケース本体１を開いた内面側の載置部１０に、例えば、竿体Ａ，Bを載置して収納する。具体的には、まず、図５（ａ）に示すように、収納する竿体Ａ，Ｂをそれぞれ挿入部１１に向かって係止部１２ａ，１２ｂに挿通させる。続いて、図５（ｂ）に示すように、係止部１２ａ，１２ｂを挿通させた竿体Ａ，Ｂの端部をそれぞれ挿入部１１ａ，１１ｂに開口側から挿入させる。さらに、必要に応じて、面ファスナ１３の被係合部１４と係合部１５との間に竿体を挟み込んで、載置部１０に竿体Ａ，Ｂを収納する。竿体Ｂのように、比較的長さが短く挿入部１１と係止部１２とによって十分に保持しきれない竿体を収納する場合、この面ファスナ１３が有効である。その後、さらに他の竿体を収納する必要があれば、残りの分割された挿入部１１ｃ，ｄ及び係止部１２ｃ，ｄに竿体を収納し、ケース本体１を二つ折りして、ファスナー２０を順次固定する。
【００１９】
以上のように、本発明の第１実施形態を採用した竿体ケースでは、載置部１０に載置された竿体Ａ，Ｂは、竿体の両端部がそれぞれ挿入部１１及び係止部１２によって保持され、両端部以外は載置部１０上で広く解放されている。この結果、竿体Ａ，Ｂに付着したゴミが容易に除去可能であり、また、載置部１０上にゴミが溜まってしまうこともない。また、竿体の蒸れも防止できる。さらに、挿入部１１及び係止部１２は網目状部材であるので、竿体の挿入部１１及び係止部１２に覆われた箇所の蒸れも有効に防止できる。なお、ケース本体１を二つ折りにして竿体Ａ，Ｂが載置されている載置部１０を内包した状態でケース本体１の縁部を接合して運搬するので、取り扱いが容易になるとともに竿体を十分に保護できる。
［第２実施形態］
以下、本発明の第２実施形態について、図面を参照しつつ説明する。
【００２０】
図６及び図７に示すように、本発明の第２実施形態を採用した竿体ケースのケース本体６１は、二つ折り可能な長方形部材であって、外面側のナイロン樹脂層６５と内面側のポリウレタン樹脂層６４との２層構造である。また、ケース本体６１は、内面上に形成され竿体を載置可能な載置部１０と、載置部１０の一端側に形成された挿入部１１と、載置部１０の他端側付近に形成された係止部１２と、挿入部１１と係止部１２との間の載置部１０上に設けられた面ファスナ（定着部）１３とを有している。このケース本体１の内面側の縁部は垂直方向にやや突出して形成されており、この突出した端部にはファスナ（固定手段）２０が配置されている。
【００２１】
また、ケース本体６１には、幅方向中心がケース本体６１の二つ折り中心に固定され幅方向にケース本体６１とともに二つ折り可能な第２載置部７０が設けられている。この第２載置部７０はナイロン樹脂からなる軟質部材である。そして、第２載置部７０の一端側には第２挿入部７１が設けられ、第２載置部７０の他端側付近には第２係止部７２が設けられている。さらに、第２載置部７０の幅方向両端部をケース本体６１に固定する第２面ファスナ（固定手段）７３が設けられている。この第２面ファスナ７３として、第２載置部７０の長さ方向中心付近の幅方向両端部にはそれぞれ第２被係合部７４が設けられ、ケース本体６１の載置部１０の長さ方向中心付近の幅方向両端部には第２被係合部と係合可能な第２係合部７５がそれぞれ設けられている。
【００２２】
第２挿入部７１は、ポリ塩化ビニル加工を施したナイロン製網目状部材である。載置部７０の中心側（図２の左側）が開口しそれ以外の部分が閉口した袋状になっている。また、挿入部７１はケース本体６１の幅方向に分割されており、それぞれ挿入部７１ａ〜７１ｄとなっている。また、第２係止部７２も、第２挿入部７１と同様にポリ塩化ビニル加工を施したナイロン製網目状部材である。この第２係止部７２の軸方向両側は開口している。また、第２係止部７２も第２挿入部７１に対応してケース本体６１の幅方向に分割されており、それぞれ第２係止部７２ａ〜７２ｄとなっている。
【００２３】
なお、その他の構成は第１実施形態と同様であり、説明を省略する。
このように構成された竿体ケースでは、第１実施形態と同様の作用効果を奏する。また、載置部１０に竿体を載置して収納するとともに、第２載置部７０にも竿体を載置して収納可能であり、多くの竿体を収納し運搬可能である。
また、第２面ファスナ７３によって第２載置部７０の幅方向両端を固定すると、第２載置部７０が安定して第２載置部７０に収納した竿体同士の接触等を防止できるとともに、第２載置部７０によって載置部１０に収納した竿体を固定可能であり、載置部１０に収納した竿体同士の接触等も防止できる。
［第３実施形態］
以下、本発明の第３実施形態について、図面を参照しつつ説明する。
【００２４】
図８に示すように、本発明の第３実施形態を採用した竿体ケースのケース本体８１は、内面上に形成され竿体を載置可能な載置部１０と、載置部１０の長さ方向中心付近から一端側にかけて形成された挿入部１１と、載置部１０の他端側付近に形成された係止部１２とを有している。
挿入部１１は、ポリ塩化ビニル加工を施したナイロン製網目状部材である。載置部１０の中心側（図８の左側）が開口しそれ以外の部分が閉口した袋状になっている。また、挿入部１１はケース本体１の幅方向に分割されており、それぞれ挿入部１１ａ〜１１ｄとなっている。そして、分割された各挿入部１１ａ〜１１ｄにそれぞれ個別の竿体の端部が挿入可能になっている。なお、挿入部１１の開口縁部には補強部材（図示せず）が縫合されている。
【００２５】
係止部１２も、挿入部１１と同様にポリ塩化ビニル加工を施したナイロン製網目状部材である。この係止部１２の軸方向両側は開口している。また、係止部１２も挿入部１１に対応してケース本体１の幅方向に分割されており、それぞれ係止部１２ａ〜１２ｄとなっている。なお、係止部１２の両開口縁部にも補強部材（図示せず）が縫合されている。
【００２６】
なお、その他の構成は第１実施形態と同様であり、説明を省略する。
このように構成された竿体ケースでは、第１実施形態と同様の作用効果を奏する。また、挿入部１１が長さ方向中心付近から一端側まで形成されているので、竿体ケースの長さに対して短い竿体も挿入部１１に挿入することで載置部１０に十分に収納できる。
【００２７】
［他の実施形態］
（ａ）挿入部，係止部は軸方向に任意に分割できる。また、分割しなくてもよい。
（ｂ）挿入部または係止部を単独で設けてもよい。
（ｃ）上記実施の形態では、定着部及び固定手段として面ファスナを用いているが、これに限定されるものではない。例えば、ケース本体連結した紐部材を用いてもよい。
【００２８】
【発明の効果】
本発明に係る竿体ケースによれば、網目状部材である保持手段によってに竿体を保持しつつ収納するので、複数の竿体を互いに損傷しあうことなく収納可能であり、かつ、ゴミだまりや竿体の蒸れを防止できる。
【図面の簡単な説明】
【図１】本発明の第１実施形態を採用した竿体ケースの全体図。
【図２】図１の竿体ケースの内面側を示した図。
【図３】図１の竿体ケースの外面側を示した図。
【図４】図２のIV−IV断面図。
【図５】本発明の第１実施形態を採用した竿体ケースに竿体Ａ，Ｂを挿入する場合の図（ａ）と、挿入後の図（ｂ）。
【図６】本発明の第２実施形態を採用した竿体ケースの内面側を示した図。
【図７】図６のVII−VII断面図。
【図８】本発明の第３実施形態を採用した竿体ケースの内面側を示した図。
【符号の説明】
１  ケース本体
１０  載置部
１１  挿入部
１２  係止部
１３  面ファスナ（定着部）
２０  ファスナ（接合手段）
７０  第２載置部
７１  第２挿入部
７２  第２係止部
７３  第２面ファスナ（固定手段）
【図１】
0003919927.tif 000002
【図２】
0003919927.tif 000003
【図３】
0003919927.tif 000004
【図４】
0003919927.tif 000005
【図５】
0003919927.tif 000006
【図６】
0003919927.tif 000007
【図７】
0003919927.tif 000008
【図８】
0003919927.tif 000009